(57)【要約】【課題】録画再生機能が内蔵されたテレビジョン受信機において、録画再生機能での電力消費及び起動時間を抑制することが可能な技術を提供することを目的とする。【解決手段】テレビジョン受信機１は、録画再生機能が内蔵されている。映像音声出力部２０２が、映像音声切替部１０８から出力された視聴用映像音声信号１０７に基づいて映像音声を出力している際に、録画再生部１１９に対する録画及び再生の指示が第１時間の間継続して行われなかった場合には、テレビジョン受信機１は、録画再生部１１９において通常電力を消費する通常電力モードから、録画再生部１１９において省電力を消費する省電力モードに切り替える。【選択図】図１
2018038075.tif 000002
【特許請求の範囲】
【請求項１】
録画再生機能が内蔵されたテレビジョン受信機の電源制御方法であって、
前記テレビジョン受信機は、
映像音声出力手段と、
放送信号に基づいて前記映像音声出力手段で使用可能な第１映像音声信号を生成する映像音声生成手段と、
前記映像音声出力手段と前記映像音声生成手段とを制御する第１制御手段と、
放送信号に基づく映像音声情報を記録媒体に録画可能であり、かつ、記録媒体に録画された映像音声情報に基づいて前記映像音声出力手段で使用可能な第２映像音声信号を再生可能である録画再生手段と、
前記録画再生手段を制御する第２制御手段と、
前記映像音声出力手段に、前記第１映像音声信号及び前記第２映像音声信号を選択的に出力する映像音声切替手段と、
前記第１制御手段と前記第２制御手段との間で通信を行う通信手段と、
を備え、
前記電源制御方法は、
前記映像音声出力手段が、前記映像音声切替手段から出力された前記第１映像音声信号に基づいて映像音声を出力している際に、前記録画再生手段に対する前記録画及び前記再生の指示が、予め定められた第１時間の間継続して行われなかった場合には、前記第１制御手段と前記第２制御手段とが、前記通信手段を用いて通信を行うことによって、前記第２制御手段が、前記録画再生手段において第１電力を消費する第１状態から、前記録画再生手段において前記第１電力よりも低い第２電力を消費する第２状態に切り替える、テレビジョン受信機の電源制御方法。
【請求項２】
請求項１に記載のテレビジョン受信機の電源制御方法であって、
前記映像音声出力手段が、前記映像音声切替手段から出力された前記第１映像音声信号に基づいて映像音声を出力している際に、前記録画再生手段に対する前記録画及び前記再生の指示が、前記第１時間の間継続して行われず、かつ、前記録画再生手段にて予約された前記録画及び前記再生が現時点から予め定められた第２時間経過するまでの間に行われない場合に、前記第２制御手段が、前記第１状態から前記第２状態に切り替える、テレビジョン受信機の電源制御方法。
【発明の詳細な説明】
【技術分野】
【０００１】
本発明は、テレビジョン受信機に関し、特に、録画再生機能が内蔵されたテレビジョン受信機の電源制御方法に関するものである。
【背景技術】
【０００２】
近年、テレビジョン受信機、及び、それとともに用いられる録画再生装置において、省電力化を実現するための技術が様々に提案されている。例えば、特許文献１には、通常の電源オフと、通常の電源オフよりも装置電力消費が高いが素早く起動可能な操作性を重視した待機状態（いわゆる「見た目電源オフ」）とを、装置への入力信号の状況に応じて使い分ける録画再生装置が開示されている。
【０００３】
一方、以上の背景とは別に、上述のテレビジョン受信機と同等の機能を有する回路などからなるテレビジョン受信部と、上述の録画再生装置と同等の機能を有する回路などからなる録画再生部との両方を備えたもの、すなわち、録画再生機能を内蔵したテレビジョン受信機（以下「録画再生機能内蔵テレビジョン受信機」と記すこともある）が知られている。
【先行技術文献】
【特許文献】
【０００４】
【特許文献１】特許第４４３７１５４号公報
【発明の概要】
【発明が解決しようとする課題】
【０００５】
録画再生機能内蔵テレビジョン受信機では、テレビジョン受信部及び録画再生部に対して、共通の一の電源回路部が用いられている。このため、録画再生機能内蔵テレビジョン受信機において、録画再生部を用いずにテレビジョン受信部だけを用いて、現在放送中の番組の映像音声を出力している場合であっても、録画再生部に電力が供給されている。この結果として、録画再生機能内蔵テレビジョン受信機では、必要以上に電力を消費してしまうという問題があった。
【０００６】
一方、電力の消費を抑制すべく、録画再生部を用いない場合に録画再生部に電力を供給しないように構成することも考えられる。しかしながら、そのような構成にて録画再生動作を開始しようとすると、録画再生部の起動にかかる時間が長くなり、操作性が損なわれるという別の問題が生じてしまう。
【０００７】
そこで、本発明は、上記のような問題点を鑑みてなされたものであり、録画再生機能が内蔵されたテレビジョン受信機において、録画再生機能での電力消費及び起動時間を抑制することが可能な技術を提供することを目的とする。
【課題を解決するための手段】
【０００８】
本発明に係るテレビジョン受信機の電源制御方法は、録画再生機能が内蔵されたテレビジョン受信機の電源制御方法であって、前記テレビジョン受信機は、映像音声出力手段と、放送信号に基づいて前記映像音声出力手段で使用可能な第１映像音声信号を生成する映像音声生成手段と、前記映像音声出力手段と前記映像音声生成手段とを制御する第１制御手段と、放送信号に基づく映像音声情報を記録媒体に録画可能であり、かつ、記録媒体に録画された映像音声情報に基づいて前記映像音声出力手段で使用可能な第２映像音声信号を再生可能である録画再生手段と、前記録画再生手段を制御する第２制御手段と、前記映像音声出力手段に、前記第１映像音声信号及び前記第２映像音声信号を選択的に出力する映像音声切替手段と、前記第１制御手段と前記第２制御手段との間で通信を行う通信手段とを備える。そして、前記電源制御方法は、前記映像音声出力手段が、前記映像音声切替手段から出力された前記第１映像音声信号に基づいて映像音声を出力している際に、前記録画再生手段に対する前記録画及び前記再生の指示が、予め定められた第１時間の間継続して行われなかった場合には、前記第１制御手段と前記第２制御手段とが、前記通信手段を用いて通信を行うことによって、前記第２制御手段が、前記録画再生手段において第１電力を消費する第１状態から、前記録画再生手段において前記第１電力よりも低い第２電力を消費する第２状態に切り替える。
【発明の効果】
【０００９】
本発明によれば、録画再生機能が内蔵されたテレビジョン受信機において、録画再生機能の電力消費を抑制することができるとともに、録画再生機能の起動時間を抑制することができる。
【図面の簡単な説明】
【００１０】
【図１】実施の形態１に係るテレビジョン受信機の構成を示す概略ブロック図である。
【図２】実施の形態１に係るテレビジョン受信機の動作の一例を示すフローチャートである。
【図３】実施の形態１に係るテレビジョン受信機の動作の一例を示すフローチャートである。
【図４】変形例３に係るテレビジョン受信機の構成を示す概略ブロック図である。
【発明を実施するための形態】
【００１１】
＜実施の形態１＞
＜装置構成＞
図１は、本発明の実施の形態１に係るテレビジョン受信機の構成を示す概略ブロック図である。
【００１２】
まず、このテレビジョン受信機１の概要について説明する。このテレビジョン受信機１は、受信出力部１００及び録画再生部１１９と、これらに電力を供給する電源回路部１３８とを備えて構成されている。外部アンテナ１０１は、例えば複数のデジタル放送チャンネルを含むＲＦ（Radio Frequency）信号などの放送信号を受信する。
【００１３】
受信出力部１００は、外部アンテナ１０１で受信された放送信号に基づいて視聴用映像音声信号１０７（第１映像音声信号）を再生（生成）し、当該視聴用映像音声信号１０７に基づく映像音声を出力することが可能となっている。すなわち、受信出力部１００は、外部アンテナ１０１で受信された放送信号が示す映像音声をリアルタイムに出力することが可能となっている。
【００１４】
録画再生部１１９は、外部アンテナ１０１で受信された放送信号に基づいて録画用パーシャルトランスポートストリーム１２３（映像音声情報）を生成し、記録媒体に録画（記録）することが可能となっている。また、録画再生部１１９は、当該記録媒体に記録された録画用パーシャルトランスポートストリーム１２３に基づいて、受信出力部１００にて音声出力可能な再生用映像音声信号１２９（第２映像音声信号）を再生（生成）することが可能となっている。このように、本実施の形態１に係るテレビジョン受信機１には、録画再生機能（録画再生部１１９）が内蔵されている。
【００１５】
次に、このテレビジョン受信機１の各構成要素について詳細に説明する。なお、以下においては、一例として、上述の記録媒体は、ＨＤＤ（ハードディスクドライブ）１２５に内蔵された記録用ディスク、及び、光ディスクドライブ１２６に装填されてそれにより読み書きされる記録用ディスク（例えばブルーレイディスクやＤＶＤディスクなどの光ディスク）であるものとして説明する。しかし、記録媒体はこれらに限ったものではない。
【００１６】
＜受信出力部１００＞
以下、受信出力部１００の構成について詳細に説明する。受信出力部１００は、第１チューナ１０２と、第１ＴＳ（トランスポートストリーム）デコーダ１０４と、第１ＡＶ（Audio/Video）デコーダ１０６と、映像音声切替部１０８と、映像音声出力処理部１１０と、映像表示部１１２と、音声出力部１１４とを備えて構成されている。
【００１７】
第１チューナ１０２は、外部アンテナ１０１と接続されており、外部アンテナ１０１で受信した放送信号の中で、任意の周波数に対する同調処理及び復調処理を行うことにより、視聴用ＴＳ（トランスポートストリーム）１０３を生成して、第１ＴＳデコーダ１０４に出力する。
【００１８】
第１ＴＳデコーダ１０４は、視聴用ＴＳ１０３から、受信出力部１００において映像音声を出力するのに必要な情報のみを含んだ視聴用パーシャルＴＳ（トランスポートストリーム）１０５を抽出して、第１ＡＶデコーダ１０６に出力する。
【００１９】
第１ＡＶデコーダ１０６は、視聴用パーシャルＴＳ１０５をデコード（復号）して、視聴用映像音声信号１０７に変換し、当該視聴用映像音声信号１０７を映像音声切替部１０８に出力する。
【００２０】
したがって、第１チューナ１０２、第１ＴＳデコーダ１０４及び第１ＡＶデコーダ１０６を含む映像音声生成部２０１は、外部アンテナ１０１からの放送信号に基づいて視聴用映像音声信号１０７を生成することが可能となっている。
【００２１】
映像音声切替部１０８は、第１ＡＶデコーダ１０６で変換された視聴用映像音声信号１０７、及び、録画再生部１１９で再生された再生用映像音声信号１２９のいずれか一方を選択映像音声信号１０９として選択し、選択映像音声信号１０９を映像音声出力処理部１１０に出力する。すなわち、映像音声切替部１０８は、映像音声出力処理部１１０に、視聴用映像音声信号１０７及び再生用映像音声信号１２９を選択的に出力する。
【００２２】
映像音声出力処理部１１０は、選択映像音声信号１０９から映像信号１１１を抽出し、映像表示部１１２に出力する。また、映像音声出力処理部１１０は、選択映像音声信号１０９から音声信号１１３を抽出し、音声出力部１１４に出力する。
【００２３】
映像表示部１１２は、例えば液晶パネルなどから構成され、映像信号１１１に基づいて映像を表示する。音声出力部１１４は、例えばスピーカなどから構成され、音声信号１１３に基づいて音声を出力する。
【００２４】
したがって、映像音声出力処理部１１０、映像表示部１１２及び音声出力部１１４を含む映像音声出力部２０２は、映像音声切替部１０８から出力された選択映像音声信号１０９に基づいて映像音声を出力することが可能となっている。
【００２５】
さて、受信出力部１００は、上述の構成要素だけでなく、第１マイコン１１５と、第１ＲＯＭ（Read Only Memory）１１６と、第１ＲＡＭ（Random Access Memory）１１７と、第１マイコンバス１１８と、マイコンインターフェイス１３４と、操作指示受信部１３６とを備えて構成されている。
【００２６】
例えばリモコンや赤外線送信機等から構成される操作指示送信部１３５は、自身が受け付けた使用者の操作指示（操作命令）に対応するキーコードを送信する。操作指示受信部１３６は、操作指示送信部１３５から送信されたキーコードを受信すると、当該キーコードを、第１マイコンバス１１８を介して第１マイコン１１５に出力する。
【００２７】
第１マイコン１１５は、キーコード及び制御情報などを、マイコンインターフェイス１３４を介して録画再生部１１９（第２マイコン１３０）に送信する。また、第１マイコン１１５は、録画再生部１１９（第２マイコン１３０）からの制御情報を、マイコンインターフェイス１３４を介して受信する。さらに、第１マイコン１１５は、第１ＲＯＭ１１６に格納されたプログラムコードに従って動作し、第１ＲＡＭ１１７をワーク領域として使用する。
【００２８】
このように構成された第１マイコン１１５は、操作指示受信部１３６からのキーコード、及び、録画再生部１１９（第２マイコン１３０）からの制御情報などに基づいて、第１マイコンバス１１８を介して、第１チューナ１０２、第１ＴＳデコーダ１０４、第１ＡＶデコーダ１０６、映像音声切替部１０８及び映像音声出力処理部１１０を統括的に制御することが可能となっている。
【００２９】
＜録画再生部１１９＞
次に、録画再生部１１９の構成について詳細に説明する。録画再生部１１９は、第２チューナ１２０と、第２ＴＳ（トランスポートストリーム）デコーダ１２２と、ストリーム制御部１２４と、ＨＤＤ１２５と、光ディスクドライブ１２６と、第２ＡＶデコーダ１２８とを備えて構成されている。
【００３０】
第２チューナ１２０は、外部アンテナ１０１と接続されており、外部アンテナ１０１で受信した放送信号の中で、任意の周波数に対する同調処理及び復調処理を行うことにより、録画用ＴＳ（トランスポートストリーム）１２１を生成して、第２ＴＳデコーダ１２２に出力する。
【００３１】
第２ＴＳデコーダ１２２は、録画用ＴＳ１２１から、録画再生部１１９において録画に必要な情報のみを含んだ録画用パーシャルＴＳ（トランスポートストリーム）１２３を抽出し、ストリーム制御部１２４に出力する。
【００３２】
ストリーム制御部１２４は、録画用パーシャルＴＳ１２３を、ＨＤＤ１２５の記録用ディスク、及び、光ディスクドライブ１２６の光ディスクに録画する。また、ストリーム制御部１２４は、ＨＤＤ１２５の記録用ディスク、及び、光ディスクドライブ１２６の光ディスクに録画された録画用パーシャルＴＳ１２３を、再生用パーシャルＴＳ（トランスポートストリーム）１２７として第２ＡＶデコーダ１２８に出力する。
【００３３】
第２ＡＶデコーダ１２８は、再生用パーシャルＴＳ１２７をデコード（復号）して、再生用映像音声信号１２９に変換し、当該再生用映像音声信号１２９を映像音声切替部１０８に出力する。
【００３４】
さて、録画再生部１１９は、上述の構成要素だけでなく、第２マイコン１３０と、第２ＲＯＭ１３１と、第２ＲＡＭ１３２と、第２マイコンバス１３３とを備えて構成されている。第２マイコン１３０は、第２ＲＯＭ１３１に格納されたプログラムコードに従って動作し、第２ＲＡＭ１３２をワーク領域として使用する。
【００３５】
このように構成された第２マイコン１３０は、第１マイコン１１５からのキーコード及び制御情報などに基づいて、第２マイコンバス１３３を介して、第２チューナ１２０、第２ＴＳデコーダ１２２、ストリーム制御部１２４及び第２ＡＶデコーダ１２８を統括的に制御することが可能となっている。
【００３６】
＜電源回路部１３８＞
電源回路部１３８は、商用電源１３７から受信出力部用電源１３９及び録画再生部用電源１４０を生成し、受信出力部１００及び録画再生部１１９にそれぞれ供給する。この電源回路部１３８による電源供給は、第１マイコン１１５により第１マイコンバス１１８を介して制御される。後述するように、第１マイコン１１５により、電源回路部１３８における電源供給のＯＮ及びＯＦＦが制御されるとともに、受信出力部１００及び録画再生部１１９が必要とする電力を供給する。
【００３７】
具体的には、録画再生部１１９が、後述する通常電力モード及び省電力モードを切り替えたときに、電源回路部１３８は、録画再生部１１９で各モードを行うのに必要な電力を供給するように録画再生部用電源１４０の供給電力を可変することができる。また、受信出力部用電源１３９では、受信出力部１００で必要な電力を供給するが、受信出力部１００には第１マイコン１１５や操作指示受信部１３６も含まれているため、電源供給のＯＦＦ状態であっても、使用者の電源ＯＮ指示を受信できるように、最低限の電力は供給するように構成されている。
【００３８】
＜装置動作＞
次に、以上のように構成された本実施の形態１に係るテレビジョン受信機１の動作について説明する。
【００３９】
＜放送番組の映像音声出力の開始動作＞
使用者は、テレビジョン受信機１において、現在放送中のデジタル放送番組の視聴を開始したい場合に、操作指示送信部１３５の電源ＯＮキーを押す操作を行う。電源ＯＮキーが押されると、電源ＯＮキーのキーコードが操作指示送信部１３５から送信される。
【００４０】
第１マイコン１１５は、操作指示受信部１３６で受信したキーコード（リモコンコード）が、視聴用のキーコードの一種である電源ＯＮキーのキーコードであると認識すると、電源回路部１３８を制御する。この第１マイコン１１５の制御により、電源回路部１３８は、受信出力部用電源１３９及び通常電力の録画再生部用電源１４０を、受信出力部１００及び録画再生部１１９にそれぞれ供給する。
【００４１】
その後、第１マイコン１１５の制御により、第１チューナ１０２は、外部アンテナ１０１で受信された放送信号に対して任意のチャンネル周波数（一般的には前回視聴時に最後に選局されていたチャンネル周波数）に対する同調処理及び復調処理を開始する。復調処理などにより視聴用ＴＳ１０３が生成されると、第１マイコン１１５の制御により、第１ＴＳデコーダ１０４は、視聴用ＴＳ１０３の中からＰＳＩ（Program Specific Information）と呼ばれる、番組を特定するための情報を抽出して解析し、当該解析により放送番組の映像音声に割り当てられたデータパケットをフィルタリングして、視聴用パーシャルＴＳ１０５を生成する。
【００４２】
それから、第１マイコン１１５の制御により、第１ＡＶデコーダ１０６は、当該視聴用パーシャルＴＳ１０５から視聴用映像音声信号１０７を生成する。例えば、デジタル放送の視聴用パーシャルＴＳ１０５は、ＭＰＥＧ（Moving Pictures Experts Group）−２方式やＡＡＣ（Advanced Audio Coding）方式等の符号化方式を使用してデータ圧縮されているため、第１ＡＶデコーダ１０６に内蔵されたＭＰＥＧ−２デコーダやＡＡＣデコーダを使用して、非圧縮の映像音声信号に復号する。当該復号により得られた視聴用映像音声信号１０７は、映像音声切替部１０８に出力される。ここでは、操作指示受信部１３６で視聴用のキーコードが受信されていることから、第１マイコン１１５の制御により、映像音声切替部１０８は、視聴用映像音声信号１０７をそのまま選択映像音声信号１０９として、映像音声出力処理部１１０に出力する。
【００４３】
次に、第１マイコン１１５の制御により、映像音声出力処理部１１０は、選択映像音声信号１０９を、映像表示部１１２の駆動に用いられる映像信号１１１、及び、音声出力部１１４の駆動に用いられる音声信号１１３に変換する。これにより、現在放送されている任意のチャンネルの放送番組の映像及び音声が出力される。
【００４４】
放送番組の映像及び音声の出力が開始されると、第１マイコン１１５は、マイコンインターフェイス１３４を介して、映像表示部１１２及び音声出力部１１４から出力中の放送番組のチャンネル情報を第２マイコン１３０に出力する。第２マイコン１３０は、マイコンインターフェイス１３４を経由して当該チャンネル情報を受信すると、第２チューナ１２０などを制御していく。
【００４５】
具体的には、第２マイコン１３０の制御により、第２チューナ１２０は、外部アンテナ１０１で受信された放送信号に対して上述のチャンネル情報と同じ周波数の搬送波を用いて、同調処理及び復調処理を開始する。復調処理などにより録画用ＴＳ１２１が生成されると、第２マイコン１３０の制御により、第２ＴＳデコーダ１２２は、録画用ＴＳ１２１の中からＰＳＩと呼ばれる番組を特定するための情報を抽出して解析し、当該解析により放送番組の映像音声に割り当てられたデータパケットをフィルタリングして、録画用パーシャルＴＳ１２３を生成する。また、第２マイコン１３０の制御により、第２ＴＳデコーダ１２２は、番組名表示などに使用するＳＩ（Service Information）と呼ばれる番組配列の情報も抽出し、解析を行う。以上の動作により、ストリーム制御部１２４には、使用者により視聴されている放送番組（映像表示部１１２及び音声出力部１１４から出力されている番組）の録画用パーシャルＴＳ１２３が入力される。
【００４６】
＜番組録画の開始動作／停止動作＞
使用者は、テレビジョン受信機１において、現在視聴されているデジタル放送番組の録画を開始したい場合に、操作指示送信部１３５の録画開始キーを押す操作を行う。録画開始キーが押されると、録画開始キーのキーコードが操作指示送信部１３５から送信される。
【００４７】
第１マイコン１１５は、操作指示受信部１３６で受信したキーコード（リモコンコード）が、録画再生用のキーコードの一種である録画開始キーのキーコードであると認識すると、第２マイコン１３０に対して処理すべきキーイベントとして定められた処理を開始させる。具体的には、第１マイコン１１５は、マイコンインターフェイス１３４を制御して、受信したキーコード情報を第２マイコン１３０に出力する。
【００４８】
第２マイコン１３０は、マイコンインターフェイス１３４から、使用者の操作に対応するキーコード情報を受信すると、第２マイコン１３０で処理すべきキーイベントとして定められた処理を開始する。ここでは、操作指示受信部１３６で録画開始キーのキーコードが受信されていることから、放送番組の録画処理を実行する。具体的には、ストリーム制御部１２４には、使用者が視聴している番組の録画用パーシャルＴＳ１２３が既に入力されているので、第２マイコン１３０の制御により、ストリーム制御部１２４は、ＨＤＤ１２５もしくは光ディスクドライブ１２６に録画用パーシャルＴＳ１２３を記録させる。以上の動作により、使用者が視聴している番組が録画される。
【００４９】
次に、使用者は、テレビジョン受信機１において、番組録画を停止したい場合に、操作指示送信部１３５の録画停止キーを押す操作を行う。録画停止キーが押されると、録画停止キーのキーコードが操作指示送信部１３５から送信される。
【００５０】
第１マイコン１１５は、操作指示受信部１３６で受信したキーコード（リモコンコード）が、録画再生用のキーコードの一種である録画停止キーのキーコードであると認識すると、第２マイコン１３０に対して処理すべきキーイベントとして定められた処理を開始させる。具体的には、第１マイコン１１５は、マイコンインターフェイス１３４を制御して、受信したキーコード情報を第２マイコン１３０に出力する。
【００５１】
第２マイコン１３０は、マイコンインターフェイス１３４から、使用者の操作に対応するキーコード情報を受信すると、第２マイコン１３０で処理すべきキーイベントとして定められた処理を開始する。ここでは、操作指示受信部１３６で録画停止キーのキーコードが受信されていることから、現在実行中の番組録画の停止処理を実行する。具体的には、第２マイコン１３０の制御により、ストリーム制御部１２４は、ＨＤＤ１２５もしくは光ディスクドライブ１２６における録画用パーシャルＴＳ１２３の記録を停止させる。
【００５２】
＜録画番組の映像音声出力の開始動作＞
使用者は、テレビジョン受信機１において、録画番組の再生を開始したい場合に、操作指示送信部１３５の再生開始キーを押す操作を行う。再生開始キーが押されると、再生開始キーのキーコードが操作指示送信部１３５から送信される。
【００５３】
第１マイコン１１５は、操作指示受信部１３６で受信したキーコード（リモコンコード）が、録画再生用のキーコードの一種である再生開始キーのキーコードであると認識すると、第２マイコン１３０に対して処理すべきキーイベントとして定められた処理を開始させる。具体的には、第１マイコン１１５は、マイコンインターフェイス１３４を制御して、受信したキーコード情報を第２マイコン１３０に出力する。
【００５４】
第２マイコン１３０は、マイコンインターフェイス１３４から、使用者の操作に対応するキーコード情報を受信すると、第２マイコン１３０で処理すべきキーイベントとして定められた処理を開始する。ここでは、操作指示受信部１３６で再生開始キーのキーコードが受信されていることから、録画番組の再生処理を実行する。具体的には、第２マイコン１３０の制御により、ストリーム制御部１２４は、ＨＤＤ１２５もしくは光ディスクドライブ１２６に記録された録画用パーシャルＴＳ１２３を、再生用パーシャルＴＳ１２７として第２ＡＶデコーダ１２８に出力する。
【００５５】
それから、第２マイコン１３０の制御により、第２ＡＶデコーダ１２８は、第１ＡＶデコーダ１０６と同様にして、再生用パーシャルＴＳ１２７から再生用映像音声信号１２９を生成し、当該再生用映像音声信号１２９が映像音声切替部１０８に出力される。ここでは、操作指示受信部１３６で録画再生用のキーコードが受信されていることから、第１マイコン１１５の制御により、映像音声切替部１０８は、再生用映像音声信号１２９をそのまま選択映像音声信号１０９として、映像音声出力処理部１１０に出力する。
【００５６】
次に、第１マイコン１１５の制御により、映像音声出力処理部１１０は、選択映像音声信号１０９を、映像表示部１１２の駆動に用いられる映像信号１１１、及び、音声出力部１１４の駆動に用いられる音声信号１１３に変換する。これにより、録画番組の映像及び音声が出力される。
【００５７】
＜電力モードの切替動作＞
図２及び図３は、本実施の形態１に係るテレビジョン受信機１における電力モードの切替動作の一例を示すフローチャートである。以下、図２及び図３を用いて、電力モードの切替動作を説明する。なお、図２に示される動作は、テレビジョン受信機１の操作指示受信部１３６が上記リモコンコードを受信するごとに開始される。一方、図３に示される動作は、以下で説明するステップＳ３及びＳ８が行われるごとに開始され、開始後は図２に示される動作と並行して定期的に行われる。
【００５８】
まず、ステップＳ１にて、第１マイコン１１５は、リモコンコードのキーコード種別が、視聴用のキーコード及び録画再生用のキーコードのいずれであるかを判定する。視聴用のキーコードであると判定した場合にはステップＳ２に進み、録画再生用のキーコードであると判定した場合にはステップＳ５に進む。
【００５９】
ステップＳ２にて、第１マイコン１１５は、ステップＳ１で判定した視聴用のキーコードが電源ＯＮキーであるか否かを判定する。電源ＯＮキーであると判定した場合にはステップＳ３に進み、電源ＯＮキーでないと判定した場合にはステップＳ４に進む。
【００６０】
ステップＳ３にて、第１マイコン１１５は、第１マイコン１１５に予め用意されたタイマー（以下「不使用時間計測タイマー」と記すこともある）に、上述のプログラムコードにて予め定められた第１時間をセットし、当該タイマーによる計時を開始する。そして、図３に示す動作を開始した後、ステップＳ４に進む。
【００６１】
ステップＳ４にて、第１マイコン１１５は、リモコンコード（ここでは視聴用のキーコード）に対応したキーイベント処理を行う。例えば、ステップＳ３後にステップＳ４を行う場合（リモコンコードが電源ＯＮキーのキーコードである場合）には、第１マイコン１１５は、電源回路部１３８を制御することにより、受信出力部用電源１３９及び録画再生部用電源１４０を、受信出力部１００及び録画再生部１１９にそれぞれ供給する。これにより、録画再生部１１９などが起動する。その後、図２に示す処理を終了する。
【００６２】
次に、図２のステップＳ５以降を説明する前に、図３に示す動作、すなわち不使用時間計測タイマーの監視動作について説明する。
【００６３】
まず、ステップＳ２１にて、第１マイコン１１５は、不使用時間計測タイマーで計時を開始してから現在までの時間が、第１時間を経過したか否かを判定する。経過したと判定した場合にはステップＳ２２に進み、経過していないと判定した場合には図３に示す動作を終了する。
【００６４】
なお、後述する図２のステップＳ８（録画再生部１１９に対する録画または再生などの使用の指示が使用者から行われた場合に行われるステップ）では、不使用時間計測タイマーに第１時間が再度セットされて、当該不使用時間計測タイマーによる計時が、それまでの計時に関わらず最初から開始される。したがって、ステップＳ２１において第１時間を経過したと判定されることは、録画再生部１１９に対する使用の指示（録画または再生の指示）が第１時間の間継続して行われなかったことを意味している。
【００６５】
図３に戻って、ステップＳ２２にて、第１マイコン１１５は、映像音声出力部２０２が、現在放送されている放送番組の映像音声を出力しているか否かを判定する。ここでは、第１マイコン１１５は、映像音声切替部１０８が視聴用映像音声信号１０７を映像音声出力処理部１１０に出力している場合には、映像音声出力部２０２は放送番組の映像音声を出力していると判定して、ステップＳ２３に進む。一方、第１マイコン１１５は、映像音声切替部１０８が再生用映像音声信号１２９を映像音声出力処理部１１０に出力している場合には、映像音声出力部２０２は放送番組の映像音声を出力していない（録画番組の映像音声を出力している）と判定し、図３に示す動作を終了する。
【００６６】
ステップＳ２３にて、第１マイコン１１５は、使用者は現在放送されている放送番組の映像音声を視聴しており（ステップＳ２２）、かつ第１時間の間継続して録画再生部１１９に対する使用の指示が行われなかった（ステップＳ２１）と判断し、マイコンインターフェイス１３４を経由して、第２マイコン１３０に対して省電力制御情報を送信し、録画再生部１１９を通常電力モードから省電力モードに切り替えるように指示を行う。これにより、録画再生部１１９は、通常電力（第１電力）を消費する通常電力モード（第１状態）から、録画再生部１１９において通常電力よりも低い省電力（第２電力）を消費する省電力モード（第２状態）に切り替わる。
【００６７】
これまで説明した動作をまとめると、映像音声出力部２０２が、映像音声切替部１０８から出力された視聴用映像音声信号１０７に基づいて映像音声を出力している際に、録画再生部１１９に対する録画及び再生の指示が第１時間の間継続して行われなかった場合には、第１マイコン１１５は、録画再生部１１９を通常電力モードから省電力モードに切り替える。この切り替えにより、通常電力よりも低い省電力が録画再生部１１９において消費される。
【００６８】
次に、第２マイコン１３０は、マイコンインターフェイス１３４から省電力制御情報を受信した場合には、省電力モードの際の録画再生部１１９に対する制御（一部分を除いて録画再生部１１９を動作させる制御）を開始する。
【００６９】
ここでは、第２マイコン１３０は、省電力制御情報を受信した場合には、ストリーム制御部１２４などを経由したコマンド等により、ＨＤＤ１２５に対して、その内部の記録用ディスクの回転を停止する指示を行うものとする。その後、図３に示す動作を終了する。
【００７０】
図２に戻って、ステップＳ１でリモコンコードのキーコード種別が録画再生用のキーコードであると判定された場合、すなわちステップＳ１からステップＳ５に進んだ場合に、第１マイコン１１５は、録画再生部１１９が省電力モードに切り替えられているか否かを判定する。省電力モードに切り替えられていると判定した場合にはステップＳ６に進み、省電力モードに切り替えられていないと判定した場合にはステップＳ８に進む。
【００７１】
ステップＳ６にて、第１マイコン１１５は、マイコンインターフェイス１３４を経由して、第２マイコン１３０に対して省電力制御情報を送信し、録画再生部１１９を省電力モードから通常電力モードに切り替える。
【００７２】
次に、第２マイコン１３０は、マイコンインターフェイス１３４から通常電力制御情報を受信した場合には、通常電力モードの際の録画再生部１１９に対する制御を開始する。
【００７３】
ここでは、第２マイコン１３０は、通常電力制御情報を受信した場合には、ストリーム制御部１２４などを経由したコマンド等により、ＨＤＤ１２５に対して、その内部の記録用ディスクの回転を復帰する指示を行う。すなわち、本実施の形態１では、録画再生部１１９は、通常電力モードではＨＤＤ１２５の記録用ディスクを駆動し、省電力モードでは当該駆動を停止する。これにより、省電力モードでは、録画再生部１１９の一部分が停止されるので、録画再生部１１９にて消費される電力を低減することができる。また、その省電力モードでは、残余の部分は停止されないので、省電力モードから通常電力モードに復帰する際に、録画再生部１１９の起動時間が長くなるのを抑制することができる。
【００７４】
ステップＳ６後のステップＳ７にて、第２マイコン１３０は、録画再生部１１９の通常電力モードへの復帰処理が完了したか否かを判定する。復帰処理が完了したと判定した場合には、第２マイコン１３０は、マイコンインターフェイス１３４を経由して第１マイコン１１５に対して、復帰処理が完了したことを報告し、一方、復帰処理が完了したと判定しなかった場合には、ステップＳ７に戻る。
【００７５】
ステップＳ５からステップＳ８に進んだ場合には、第１マイコン１１５は、不使用時間計測タイマーに第１時間を再度セットし、当該不使用時間計測タイマーによる計時を、それまでの計時に関わらず最初から開始する。同様に、ステップＳ７からステップＳ８に進んだ場合には、第１マイコン１１５は、第２マイコン１３０からの報告を受けてから、不使用時間計測タイマーに第１時間を再度セットし、当該不使用時間計測タイマーによる計時を、それまでの計時に関わらず最初から開始する。
【００７６】
ステップＳ８後のステップＳ９にて、第１マイコン１１５及び第２マイコン１３０は、リモコンコード（ここでは録画再生用のキーコード）に対応したキーイベント処理を行う。
【００７７】
＜効果＞
以上のような本実施の形態１に係るテレビジョン受信機１によれば、映像音声出力部２０２が視聴用映像音声信号１０７に基づいて映像音声を出力している際に、録画再生部１１９に対する録画及び再生の指示が第１時間の間継続して行われなかった場合には、録画再生部１１９を通常電力モードから省電力モードに切り替える。したがって、録画再生機能（録画再生部１１９）が内蔵されたテレビジョン受信機１において、録画再生機能の電力消費を抑制することができるとともに、録画再生機能の起動時間を抑制することができる。
【００７８】
ここで、録画再生機能を内蔵しないテレビジョン受信機と、それとは別個の録画再生装置とが連携するシステムであっても、録画及び再生の操作が一定期間行われていないと判定した場合に、録画再生装置は今後しばらく使用されない可能性が高いとして、省電力モードに切り替えるように構成することは可能である。しかしながら、このような構成においては、例えば録画再生装置の映像音声を出力している途中に省電力モードに切り替えられることがあるなど、録画再生装置が今後使用されるか否かを予測する精度は不十分であると考えられる。
【００７９】
また、録画再生機能を内蔵しないテレビジョン受信機の予測精度を向上させるべく、放送中の番組の映像音声をテレビジョン受信機で出力している際に、録画及び再生の操作が一定期間行われていないと判定した場合に、省電力モードに切り替えるように構成することも考えられる。しかしながら、録画再生機能を内蔵しないテレビジョン受信機においては、上述の録画再生装置との連携が不十分であることから、放送中の番組の映像音声をテレビジョン受信機で出力しているか否かの判定結果を用いて、録画再生装置が今後使用されるか否かを予測することができない。
【００８０】
これに対して、本実施の形態１に係るテレビジョン受信機１によれば、録画再生部１１９が内蔵されていることから、録画再生部１１９に対する録画及び再生の指示が第１時間の間継続して行われなかったか否かだけではなく、映像音声出力部２０２が視聴用映像音声信号１０７に基づいて映像音声を出力しているか否かも考慮して、録画再生部１９が今後使用されるか否かを予測することができる。したがって、その予測精度の向上化が期待できる。
【００８１】
＜変形例１＞
実施の形態１では、録画再生部１１９は、通常電力モードではＨＤＤ１２５の記録用ディスクを駆動し、省電力モードでは当該駆動を停止した。しかしこれに限ったものではなく、録画再生部１１９は、通常電力モードでは光ディスクドライブ１２６の光ディスクを駆動し、省電力モードでは当該駆動を停止するように構成してもよい。
【００８２】
あるいは、録画再生部１１９は、通常電力モードでは、ＨＤＤ１２５の記録用ディスク及び光ディスクドライブ１２６の光ディスクの両方を駆動し、省電力モードでは、当該駆動のいずれをも停止するように構成してもよい。このような構成によれば、上述の効果（録画再生機能の電力消費を抑制する効果）を高めることができる。
【００８３】
また、省電力モードで停止させる対象は、記録用ディスク等に限ったものではない。例えば、録画再生部１１９は、通常電力モードでは、放送信号に基づいて記録用ディスクに録画される録画用パーシャルＴＳ１２３（映像音声情報）を生成し、省電力モードでは、当該生成を停止するように構成してもよい。具体的には、通常電力モードでは、第２チューナ１２０、第２ＴＳデコーダ１２２、ストリーム制御部１２４及び第２ＡＶデコーダ１２８を動作させ、省電力モードではこれら構成要素のうち少なくともいずれか１つを停止させるように構成してもよい。このような構成によれば、上述の効果（録画再生機能の電力消費を抑制する効果）を高めることができる。
【００８４】
＜変形例２＞
実施の形態１では、映像音声出力部２０２が視聴用映像音声信号１０７に基づいて映像音声を出力している際に、録画再生部１１９に対する録画及び再生の指示が第１時間の間継続して行われなかった場合には、通常電力モードから省電力モードに切り替えた。
【００８５】
ここで、一般的な録画再生装置と同様に、録画再生部１１９における録画及び再生は、操作指示送信部１３５からの操作指示によってすぐに実行される以外に、録画再生部１１９における予約によっても実行されるように構成されることが多いと考えられる。そこで、以上で説明した実施の形態１において、録画再生部１１９にて予約された録画及び再生も考慮して、通常電力モードから省電力モードに切り替えるように構成してもよい。
【００８６】
すなわち、映像音声出力部２０２が視聴用映像音声信号１０７に基づいて映像音声を出力している際に、録画再生部１１９に対する録画及び再生の指示が第１時間の間継続して行われず、かつ、録画再生部１１９にて予約された録画及び再生が現時点から予め定められた第２時間経過するまでの間に行われない場合に、通常電力モードから省電力モードに切り替えるように構成してもよい。
【００８７】
このような構成によれば、録画再生機能が今後使用されるか否かについての予測精度をより高めることができる。また、予約録画動作の開始時の装置レスポンスを向上させる効果も期待できる。なお、第２時間は、第１時間と同じ時間であってもよいし、異なる時間であってもよい。
【００８８】
＜変形例３＞
図４は、本変形例３に係るテレビジョン受信機１の構成を示す概略ブロック図である。この図４に示されるように、実施の形態１の構成に、テレビジョン受信機１周辺に人物が存在するか否かを検出する人物検出部１４３（例えばテレビジョン受信機１の正面に人が存在することを検出可能な人感センサなど）をさらに備える構成であってもよい。そして、第１マイコン１１５は、人物検出部１４３の検出結果に基づいて録画再生部１１９を制御することにより、テレビジョン受信機１で使用する電力を制御してもよい。例えば、図３において、ステップＳ２３に移行する前に、人物検出部１４３の検出結果を参照し、人物が検出されなかった場合にはステップＳ２３に移行して省電力モードへの切り替えを行い、人物が検出された場合には、図３の処理を終了し、省電力モードへの切り替えを行わないように構成してもよい。これは、しばらくの間（第１時間の間）録画再生部１１９への使用指示が無かったとしても、使用者がテレビジョン受信機１の近傍にいるときには、使用指示を突然行う可能性もあり、録画再生部１１９が省電力モードに移行していると録画再生機能の起動に時間を要し、使い勝手を劣化させてしまうことを防止するためである。このような構成によれば、テレビジョン受信機１の操作性を低下させることなく、必要以上の電力が消費されるのを抑制することができる。
【００８９】
また、図４に示すように、実施の形態１の構成に、テレビジョン受信機１周辺の明るさを検出する明るさ検出部１４５（例えば明るさセンサなど）を備える構成であってもよい。そして、第１マイコン１１５は、明るさ検出部１４５で検出された明るさと第１閾値との比較結果に基づいて録画再生部１１９を制御することにより、テレビジョン受信機１で使用する電力を制御してもよい。例えば、図３において、ステップＳ２３に移行する前に、明るさ検出部１４５で検出された明るさが第１閾値よりも小さいという検出結果が得られた場合には、ステップＳ２３に移行して省電力モードへの切り替えを行い、第１閾値よりも大きいという比較結果が得られた場合には、図３の処理を終了し、省電力モードへの切り替えを行わないように構成してもよい。これは、しばらくの間（第１時間の間）録画再生部１１９への使用指示が無かったとしても、テレビジョン受信機１の近傍が明るい（部屋の照明が点灯している）場合には、使用者がその近傍にいて使用指示を突然行う可能性もあり、録画再生部１１９が省電力モードに移行していると録画再生機能の起動に時間を要し、使い勝手を劣化させてしまうことを防止するためである。このような構成によれば、テレビジョン受信機１の操作性を低下させることなく、必要以上の電力が消費されるのを抑制することができる。
【００９０】
さらに、図４に示すように、実施の形態１の構成に、テレビジョン受信機１周辺の音声などの音量を検出する音量検出部１４７（例えばマイク等を用いてテレビジョン受信機１周辺の騒音を検出可能な音量センサなど）を備える構成であってもよい。そして、第１マイコン１１５は、音量検出部１４７で検出された音量と第２閾値との比較結果に基づいて録画再生部１１９を制御することにより、テレビジョン受信機１で使用する電力を制御してもよい。例えば、図３において、ステップＳ２３に移行する前に、音量検出部１４７で検出された明るさが第２閾値よりも小さいという検出結果が得られた場合には、ステップＳ２３に移行して省電力モードへの切り替えを行い、第２閾値よりも大きいという比較結果が得られた場合には、図３の処理を終了し、省電力モードへの切り替えを行わないように構成してもよい。これは、しばらくの間（第１時間の間）録画再生部１１９への使用指示が無かったとしても、テレビジョン受信機１の周辺音量が大きい（生活音がしている）場合には、使用者がその近傍にいて使用指示を突然行う可能性もあり、録画再生部１１９が省電力モードに移行していると録画再生機能の起動に時間を要し、使い勝手を劣化させてしまうことを防止するためである。このような構成によれば、テレビジョン受信機１の操作性を低下させることなく、必要以上の電力が消費されるのを抑制することができる。
【００９１】
なお、図４に示す例では、３種類の検出部（人物検出部１４３、明るさ検出部１４５及び音量検出部１４７）を備える構成について説明したが、これに限ったものではなく、このうちの１種類または２種類の検出部を備える構成であってもよい。
【００９２】
＜変形例４＞
実施の形態１に係るテレビジョン受信機１では、リモコンコードのキーコードが電源ＯＮキーである場合に、ステップＳ３（図２）にて不使用時間計測タイマーによる計時を開始してから、ステップＳ４にて録画再生部１１９に通常電力の録画再生部用電源１４０を供給した。すなわち、上述の第１時間の始点は、録画再生部１１９に通常電力を供給する時点の直前の時点であった。
【００９３】
また、実施の形態１に係るテレビジョン受信機１では、リモコンコードのキーコードが録画再生用のキーコードである場合には、ステップＳ６及びＳ７にて録画再生部１１９に通常電力の録画再生部用電源１４０を供給してから、ステップＳ８にて不使用時間計測タイマーによる計時を開始した。すなわち、上述の第１時間の始点は、録画再生部１１９に通常電力を供給する時点の直後の時点であった。
【００９４】
しかしながら、第１時間の始点は、録画再生部１１９に通常電力を供給する時点と同時の時点、または直前もしくは直後の時点であればよく、上述の時点に限ったものではない。このような構成によれば、録画再生部１１９に通常電力が供給されてから、図３のステップＳ２３にて通常電力モードから省電力モードに切り替えられるまでの時間のばらつきの抑制化が期待できる。
【００９５】
なお、本発明は、その発明の範囲内において、各実施の形態を自由に組み合わせたり、各実施の形態を適宜、変形、省略したりすることが可能である。
【符号の説明】
【００９６】
１  テレビジョン受信機、１０２  第１チューナ、１０４  第１ＴＳデコーダ、１０６  第１ＡＶデコーダ、１０７  視聴用映像音声信号、１０８  映像音声切替部、１１０  映像音声出力処理部、１１２  映像表示部、１１４  音声出力部、１１９  録画再生部、１２３  録画用パーシャルＴＳ、１２９  再生用映像音声信号、１４３  人物検出部、１４５  明るさ検出部、１４７  音量検出部、２０１  映像音声生成部、２０２  映像音声出力部。
【図１】
2018038075.tif 000003
【図２】
2018038075.tif 000004
【図３】
2018038075.tif 000005
【図４】
2018038075.tif 000006